(57)【特許請求の範囲】
【請求項１】
公衆回線網を利用して情報の伝達を行う情報伝送装置であって、
前記公衆回線網の交換機を介して発呼及び着呼が実行される組をなす子機及び親機を有し、
前記親機は、前記子機の発呼に対応する２以上の回線番号を有するとともに、前記２以上の回線番号による呼毎に発信者番号通知を受ける機能を有し、
前記子機は、
前記子機に入力する伝送情報を記憶部に記憶された記憶情報を照合して、親機の１つの回線番号をビット単位とする１以上のビットの情報として認識し、その認識したビットの情報に対応して、前記２以上の回線番号の組合せによるビット列の情報として、前記公衆回線網に加入した電話機の電話回線をオフフック及びオンフックすることにより、親機の回線番号を発呼する情報出力部を有し、
前記親機は、
前記発信者番号通知を受信すると共に、前記子機から前記親機への回線番号の着呼を受信する受信部と、
親機の２以上の回線番号にそれぞれ割当てたｎ個のビット番号と、前記ビット番号にそれぞれ割当てた、伝送情報を形成する情報要素とを対応させて記憶する記憶部と、
前記子機から伝送されたビット列の情報をなす各情報要素を前記記憶部の情報要素と照合して、前記情報要素をビット列の情報として認識する情報出力部とを有することを特徴とする情報伝送装置。
【請求項２】
さらに、前記親機は、インターネット網に加入したサーバとしての機能を有し、前記情報再生部が出力したビット列の情報をテキストデータに編集する編集部と、前記編集部が編集したテキストデータに前記インターネット網上のサービスパーソナルコンピュータを識別するためのネットアドレスを付加することにより前記インターネット網に出力する発信部とを有している、請求項１に記載の情報伝送装置。
【請求項３】
情報伝送装置を用い、公衆回線網を利用して情報の伝達を行う情報伝送方法であって、
前記情報伝送装置は、前記公衆回線網の交換機を介して発呼及び着呼が実行される組をなす子機及び親機を有し、前記親機は、前記子機の発呼に対応する２以上の回線番号を有するとともに、前記２以上の回線番号による呼毎に発信者番号通知を受ける機能を有し、
前記子機は、前記子機に入力する伝送情報を記憶部に記憶された記憶情報を照合して、親機の１つの回線番号をビット単位とする１以上のビットの情報として認識し、その認識したビットの情報に対応して、前記２以上の回線番号の組合せによるビット列の情報として、前記公衆回線網に加入した電話機の電話回線をオフフック及びオンフックすることにより、親機の回線番号を発呼し、
前記親機は、前記発信者番号通知を受信すると共に、前記子機から前記親機への回線番号の着呼を受信し、親機の２以上の回線番号にそれぞれ割当てたｎ個のビット番号と、前記ビット番号にそれぞれ割当てた、伝送情報を形成する情報要素とを対応させて記憶する記憶情報と、前記子機から伝送されたビット列の情報をなす各情報要素を前記記憶部の情報要素と照合して、前記情報要素をビット列の情報として認識することを特徴とする情報伝送方法。
【請求項４】
さらに、前記親機は、インターネット網に加入したサーバとしての機能を有し、前記子機が出力したビット列の情報をテキストデータに編集し、前記編集したテキストデータに前記インターネット網上のサービスパーソナルコンピュータを識別するためのネットアドレスを付加することにより前記インターネット網に出力する、請求項３に記載の情報伝送方法。
【請求項５】
公衆回線網を利用して情報の伝達を制御する情報伝送プログラムであって、
前記公衆回線網の交換機を介して発呼及び着呼が実行される組をなす子機及び親機を有し、
前記親機は、前記子機の発呼に対応する２以上の回線番号を有するとともに、前記２以上の回線番号による呼毎に発信者番号通知を受ける機能を有し、
前記子機のコンピュータに、
前記子機に入力する伝送情報を記憶部に記憶された記憶情報を照合して、親機の１つの回線番号をビット単位とする１以上のビットの情報として認識し、その認識したビットの情報に対応して、前記２以上の回線番号の組合せによるビット列の情報として、前記公衆回線網に加入した電話機の電話回線をオフフック及びオンフックすることにより、親機の回線番号を発呼する機能を実行させることを特徴とする情報伝送プログラム。
【請求項６】
公衆回線網を利用して情報の伝達を制御する情報伝送プログラムであって、
前記公衆回線網の交換機を介して発呼及び着呼が実行される組をなす子機及び親機を有し、
前記親機は、前記子機の発呼に対応する２以上の回線番号を有するとともに、前記２以上の回線番号による呼毎に発信者番号通知を受ける機能を有し、
前記親機のコンピュータに、
前記発信者番号通知を受信すると共に、前記子機から前記親機への回線番号の着呼を受信する機能と、
親機の２以上の回線番号にそれぞれ割当てたｎ個のビット番号と、前記ビット番号にそれぞれ割当てた、伝送情報を形成する情報要素とを対応させて記憶する記憶情報と、前記子機から伝送されたビット列の情報をなす各情報要素を前記記憶部の情報要素と照合して、前記情報要素をビット列の情報として認識する機能とを実行させることを特徴とする情報伝送プログラム。
【請求項７】
さらに、前記親機のコンピュータに、インターネット網に加入したサーバとしての機能を付与し、前記子機が出力したビット列の情報をテキストデータに編集する機能と、前記編集したテキストデータに前記インターネット網上のサービスパーソナルコンピュータを識別するためのネットアドレスを付加することにより前記インターネット網に出力する機能とを実行させる、請求項６に記載の情報伝送プログラム。
【発明の詳細な説明】
【技術分野】
【０００１】
本発明は、遠隔地などの監視対象の状況を既設の通信網における接続手順を情報の伝送に利用した情報伝送装置、情報伝送方法及び情報伝送プログラムに関する。
【背景技術】
【０００２】
通信事業者から発信者番号通知サービスが提供されている。前記発信者番号通知サービスは、契約者回線番号を相手方に通知するサービスであって、このサービスは、ＩＮＳネット契約者、又は加入電話のナンバー・ディスプレイの契約者、デジタル携帯電話、ＰＨＳへの通信にも利用できるようになっている。前記発信者番号通知サービスにおいては、代表サービス契約者の場合に代表親番号を、ダイヤルインサービス契約者の場合にダイヤルイン番号を呼毎に通知されるようになっている。
【０００３】
前記発信者番号通知サービスを利用した技術が種々開発されている（例えば、特許文献１，特許文献２）。さらには、特許文献３には、セキュリティセンサから出力される信号を入力手段で入力し、前記入力した信号に応じてメモリに記憶された電話番号を抽出し、前記抽出した前記電話番号に基づいて携帯無線機を呼び出す異常報知装置が開示されている。
【０００４】
また、公衆回線網に加入した電話機同士を利用して情報を簡易に伝送する電話機の利用方法がある。この電話機の利用方法は、一般に「帰るコール」と称されているものである。この方式は、公衆回線網に加入した２台の電話機を利用し、且つ前記２台の電話機間に公衆回線網を介して回線が確立する前に、回線の接続を絶つことにより、情報の伝送を行うものである。
具体的に説明すると、公衆回線に加入した２台の電話機のユーザが予め呼出音を鳴らす回数に対応して伝送する情報を定めておき、情報を伝送する際に、一方の電話機から他の電話機を呼出し、一方の電話機のユーザが、交換機から他の電話機を呼び出す呼出音の回数を聞き取り、その呼出音の回数が伝送したい情報に相当する回数に達した際に回線を切ることにより、情報を相手方に伝えるものである。
【先行技術文献】
【特許文献】
【０００５】
【特許文献１】特開平７−２３０３７号公報
【特許文献２】特開２００２−６４５９１号公報
【特許文献３】特開２００１−５３９０４号公報
【発明の概要】
【発明が解決しようとする課題】
【０００６】
特許文献１，２は、通信事業者が提供している発信者番号通知サービスを利用して相手方を迅速に呼び出す、或いは通信網のうち通信費が安い通信網を選定して回線確立を行うなどものであり、発信側の電話機がどの通信網に加入した相手方の電話機を呼び出しているかを示す情報であって、伝送される情報が単純な形式であり、伝送される内容も単純なものに限られている。
【０００７】
いわゆる帰るコール方式の場合にあっても、呼出音の回数に応じて伝送内容を取り決めているものであるから、呼出音の回数を何かの拍子で増減させてしまった場合に、正確な情報の内容を伝えることにならないものである。
【０００８】
現在、公衆回線網、インターネット回線網やデジタル携帯電話などを利用するにあたって、加入者に付与されている回線番号は、前述した各種の通信網において一方から他方を呼び出して回線を確立するために必要なものであり、着信側の電話機がダイヤルイン番号を複数付与されていても、発信側の１台の電話機では、２以上のダイヤルイン番号に対応する２以上の電話機を連続して呼び出すことはできないものである。
以上の技術背景であるため、電話機に付与された回線番号は、発信側と着信側との電話機が１対１の関係にあるときに有効なものであって、それ以外の目的に使用されていないのである。
【０００９】
本発明の目的は、リアルタイムに頻発する情報を、国際間で広く標準化され汎用的に運用されている公衆回線の接続手法を用い、最終の情報利用者へ迅速に簡便かつ安価に情報の伝達を図ることを実現した情報伝送装置、情報伝送方法及び情報伝送プログラムを提供する事にある。
【課題を解決するための手段】
【００１０】
上述したように発信者通知サービスにおいても、ユーザに付与された回線番号は、発信方からの呼に応じるか拒否するかを判断するための情報である。さらに、公衆回線網、インターネット回線網やデジタル携帯電話などを利用するにあたって、加入者に付与されている回線番号は、前述した各種の通信網において一方から他方を呼び出して回線を確立するために必要なものである。
【００１１】
さらに、国際間で広く標準化され汎用的に運用されている通信網は公衆回線網であり、この公衆回線網をベースとしてインターネットなどの新たな通信網が開発されている。
【００１２】
公衆回線網は国際間で広く標準化され汎用的に運用されているため、殆どの世帯は公衆回線網に加入している。この公衆回線網をベースにしたインターネットは、種々のデータを瞬時に送ることができるものであるが、そのユーザが経済的及び技術的に負担する割合が多いのが現状であり、公衆回線網に加入している全ての世帯がインターネットに加入している訳ではない。
【００１３】
また、公衆回線網に加入しているユーザが法人などの場合、複数の回線を導入し、或いはダイヤルインサービスの提供を受けて、２以上の回線番号を保有している。前記ユーザは、ダイヤルインサービスの提供を受ける際に、一人の発呼者とは一つの回線番号を使って通話を行うものであり、前記ユーザが２以上の回線番号を保有していても、一人の発呼者に２以上の回線番号を使って通話を行うことはないものである。
【００１４】
以上の背景を考慮して、本発明は、公衆回線網の交換機が実行する回線選択・交換の機能を利用し、公衆回線網に加入した電話機の電話回線をオフフック，オンフックすることを繰り返して１台の電話機から親機の２以上の回線番号を発呼し、前記交換機によって親機の２以上の回線番号を着呼させることを情報の伝送に応用したものであり、リアルタイムに頻発する情報を、国際間で広く標準化され汎用的に運用されている公衆回線の接続手法のみを用いることにより、最終の情報利用者へ迅速に簡便かつ安価に情報の伝達を行うものである。前記オフフックとは、電話機の電話回線と公衆回線網の交換機との間に閉ループを閉成することにより、電話機の電話回線を公衆回線網の交換機に接続することを意味している。さらに、前記オンフックとは、電話機の電話回線と公衆回線網の交換機との間のループを解放することにより、電話機の電話回線を公衆回線網の交換機から切り離すことを意味している。
本発明に係る情報伝送装置は、公衆回線網を利用して情報の伝達を行う情報伝送装置であって、
前記公衆回線網の交換機を介して発呼及び着呼が実行される組をなす子機及び親機を有し、前記親機は、前記子機の発呼に対応する２以上の回線番号を有するとともに、前記２以上の回線番号による呼毎に発信者番号通知を受ける機能を有し、
前記子機は、前記子機に入力する伝送情報を、親機の１つの回線番号をビット単位とする１以上のビットの情報として認識し、その認識したビットの情報に対応して、前記公衆回線網に加入した電話機の電話回線をオフフック及びオンフックすることにより、親機の回線番号を発呼する情報出力部を有し、
前記親機は、前記発信者番号通知を受信すると共に、前記子機から前記親機への回線番号の着呼を受信する受信部と、前記発信者番号通知に基づいて子機を特定すると共に、前記特定した子機から親機への回線番号の着呼をビットの情報として出力する情報再生部とを有することを特徴とするものである。
【００１５】
本発明を情報伝送方法として構築した場合、本発明に係る情報伝送方法は、情報伝送装置を用い、公衆回線網を利用して情報の伝達を行う情報伝送方法であって、
前記情報伝送装置は、前記公衆回線網の交換機を介して発呼及び着呼が実行される組をなす子機及び親機を有し、前記親機は、前記子機の発呼に対応する２以上の回線番号を有するとともに、前記２以上の回線番号による呼毎に発信者番号通知を受ける機能を有し、
前記子機により、前記子機に入力する伝送情報を、親機の１つの回線番号をビット単位とする１以上のビットの情報として認識し、その認識したビットの情報に対応して、前記公衆回線網に加入した電話機の電話回線をオフフック及びオンフックすることにより、親機の回線番号を発呼し、
前記親機により、前記発信者番号通知を受信すると共に、前記子機から前記親機への回線番号の着呼を受信し、前記発信者番号通知に基づいて子機を特定すると共に、前記特定した子機から親機への回線番号の着呼をビットの情報として出力する構成として構築する。
【００１６】
本発明を情報伝送プログラムとして構築した場合、本発明に係る情報伝送プログラムは、公衆回線網を利用して情報の伝達を制御する情報伝送プログラムであって、
前記公衆回線網の交換機を介して発呼及び着呼が実行される組をなす子機及び親機を有し、前記親機は、前記子機の発呼に対応する２以上の回線番号を有するとともに、前記２以上の回線番号による呼毎に発信者番号通知を受ける機能を有し、
前記子機のコンピュータに、前記子機に入力する伝送情報を、親機の１つの回線番号をビット単位とする１以上のビットの情報として認識し、その認識したビットの情報に対応して、前記公衆回線網に加入した電話機の電話回線をオフフック及びオンフックすることにより、親機の回線番号を発呼する機能を実行させる構成として構築する。
【００１７】
本発明を情報伝送プログラムとして構築した場合、本発明に係る情報伝送プログラムは、公衆回線網を利用して情報の伝達を制御する情報伝送プログラムであって、
前記公衆回線網の交換機を介して発呼及び着呼が実行される組をなす子機及び親機を有し、前記親機は、前記子機の発呼に対応する２以上の回線番号を有するとともに、前記２以上の回線番号による呼毎に発信者番号通知を受ける機能を有し、
前記親機のコンピュータに、前記発信者番号通知を受信すると共に、前記子機から前記親機への回線番号の着呼を受信する機能と、前記発信者番号通知に基づいて子機を特定すると共に、前記特定した子機から親機への回線番号の着呼をビットの情報として出力する機能とを実行させる構成として構築する。
【発明の効果】
【００１８】
以上のように本発明によれば、公衆回線網の交換機が実行する回線選択・交換の機能を利用し、公衆回線網に加入した電話機の電話回線をオフフック，オンフックすることを繰り返して１台の電話機から親機の２以上の回線番号を発呼し、前記交換機によって親機の２以上の回線番号を着呼させることを情報の伝送に応用したものであり、リアルタイムに頻発する情報を、国際間で広く標準化され汎用的に運用されている公衆回線の接続手法のみを用いることにより、簡便に情報通信を行うことができ、公衆回線網ばかりでなく、広域ネットにも応用可能な装置を構築することができるものである。
【図面の簡単な説明】
【００１９】
【図１】本発明の実施形態に係る情報伝送装置を用いて子機と親機との間で情報の伝送を行い、かつ前記伝送した情報を最終情報利用者に連絡するシステムを示す構成図である。
【図２】本発明の実施形態に係る情報伝送装置における子機の具体的構成を示す構成図である。
【図３】図２に示した子機が取り扱う、回線番号の組合せ、その組合せの意味及び回線番号列の関係を図示化した図である。
【図４】本発明の実施形態に係る情報伝送装置における親機の具体的構成を示す構成図である。
【図５】図４に示した親機の情報再生部が親機の回線番号をビット情報として出力する過程を説明する図である。
【図６】親機の情報再生部が編集したテキストデータの一例を説明するための図である。
【図７】本発明の実施形態に係る情報伝送装置からインターネット網に出力される情報を図示化した図である。
【図８】インターネット網上の通信事業者が最終情報の利用者に情報を連絡する過程を説明する図である。
【図９】図３に示す子機の記憶部が記憶する記憶情報を階層構造として表した図である。
【図１０】本発明の実施形態に係る情報伝送装置を用いて子機と親機との間で情報の伝送を行う動作を説明するためのフロー図である。
【発明を実施するための最良の形態】
【００２０】
以下、本発明の実施形態を図に基づいて詳細に説明する。
【００２１】
本発明の実施形態は、全世界で広く普及している公衆回線網と急速に拡大しているインターネット網とのそれぞれの特質を生かし、公衆回線網が敷設されたエリアで起きている情報をリアルタイムに簡便に安価に収集し、この情報を必要とする利用者に伝達するための装置である。
【００２２】
今や公衆回線網（公衆回線電話網）４は有線（固定），無線（携帯）をはじめＣＡＴＡＶ電話，ＩＰ電話，ひかり回線電話など多種類多回線で使用されている。公衆回線網３は全国隅々まで張り巡まされており、ほとんどすべての人が利用できる環境下にある。一方、インターネット網も広く使われだしているが、環境や経費や操作性などの問題から利用者は限定されているのが現状である。
【００２３】
広く普及している公衆回線網４の末端の大半が電話機２であり、本発明者は、前記電話機２に子機（端末）１を端末として併設することにより、公衆回線網４が敷設されたエリアで発生する事象の情報、たとえば在宅か不在かなどの存否情報を、リアルタイムに捕捉してその情報利用者に迅速かつ簡便に伝達するために考案されたものである。
情報を公衆回線網４の利用によってリアルタイムに伝送する場合、その公衆回線網４による伝送頻度が多いと、伝送経費が無視できないほどの多額なものとなる。本発明者は、前記経費削減を図るなどの情報伝送手法を考案したものである。
図１及び図２に示すように、公衆回線網４から加入の電話機２に電話回線３が敷設されており、一般の通話では、電話機２の送受話器２ａを操作して、電話回線３をオフフック，オンフックすることにより、図示していない電話機に公衆回線網４を通して通話を行うようになっている。前記オフフックとは、電話機の電話回線と公衆回線網の交換機との間に閉ループを閉成することにより、電話機の電話回線を公衆回線網の交換機に接続することを意味している。さらに、前記オンフックとは、電話機の電話回線と公衆回線網の交換機との間のループを解放することにより、電話機の電話回線を公衆回線網の交換機から切り離すことを意味している。
本発明の実施形態は図１及び図２に示すように、公衆回線網４に加入した電話機２に子機１を併設し、公衆回線網４の交換機４ａが実行する回線選択・交換の機能を利用し、公衆回線網４に加入した電話機２をスルーして電話回線３をオフフック，オンフックすることを繰り返すことにより、１台の電話機２の電話回線３から親機５の２以上の回線番号を発呼し、前記交換機４ａによって親機５の２以上の回線番号を着呼させることを情報の伝送に応用したものであり、最終の情報利用者へ迅速に簡便かつ安価に情報の伝達を行うものである。
図１及び図２において、子機１は電話機２に併設してあるため、電話機２を使用している際には子機１にはビジー信号が流れ、逆に子機１を使用している際には電話機２にビジー信号が流れるが、子機１から親機５の２以上の回線番号を発呼する際に要する時間は、情報量にも左右されるが、一般的に数秒であるので、電話機２による通話に支障を与えることはないのである。
【００２４】
本発明の実施形態においては、通信を電話発呼による発信者番号通知のみに止めることにより、伝送経費を軽減していることに特徴がある。だたし、情報となると何らかの情報要素（コンテンツ）を持っていることが必要である。この情報要素を構成しているのが、親機を発呼する回線番号列（多回線番号）である。
本発明の実施形態においては、子機（端末）１は、情報要素を親機５の１つの回線番号を１ビット単位とするビットの情報として認識し、その認識したビットの情報に対応して親機５の回線番号を発呼することにより、子機１に入力した情報を親機５が有する２以上の回線番号の組合せによる回線番号列の情報として接続先の親機５に伝えることになる。
本発明の実施形態においては、親機５は、通信事業者が提供する発信者番号通知を受けることにより、子機１を特定し、子機１から親機５への回線番号の着呼をビットの情報として出力する。
そして、本発明の実施形態においては、親機５は、子機１から親機５への回線番号の着呼をビットの情報として認識した後、前記発信者番号通知を受けた際に子機１との通話を遮断し、子機１は、子機１からの親機５の回線番号の発呼が親機５に着呼した際に親機５から電話機２に向けて発信される着信音（リング音）を感知して電話機２の電話回線３をオンフックさせる。
したがって、本発明の実施形態では、通信を電話発呼による発信者番号通知のみに止めており、子機１と親機５との間に回線が確立される前に通話状態を解放するため、伝送経費を軽減している。
【００２５】
通信事業者が提供している発信者番号通知サービスは、契約者回線番号を相手方に通知するサービスであって、このサービスは、ＩＮＳネット契約者、又は加入電話のナンバー・ディスプレイの契約者、デジタル携帯電話、ＰＨＳへの通信にも利用できるようになっている。前記発信者番号通知サービスにおいては、代表サービス契約者の場合に代表親番号を、ダイヤルインサービス契約者の場合にダイヤルイン番号を呼毎に通知されるようになっている。
本発明の実施形態では、前記発信者番号通知サービスに着目して、親機５に２以上の回線番号＃１〜＃ｎを保有させ、前記２以上の回線番号に基づいて、前記子機１からの発信に対応させ、且つ前記２以上の回線番号＃１〜＃ｎによる呼毎に前記発信者番号通知をそれぞれ受ける機能を保有させ、前記発信者番号通知を受けるようになっている。
前記発信者番号通知のサービスは、発呼側の電話機から着呼側の電話機を呼び出す前に着呼側の電話機に発信者番号を通知するものであり、一般の通話では、前記発信者番号通知後に着呼側の電話機への着信音（リング音）が電話回線３を介して発呼側の電話機に発信され、着呼側の電話機の送受話器をフックしたことにより、発呼側の電話機と着呼側の電話機との間に回線が確立されることとなる。
しかし、本発明の実施形態では、親機５は、子機１から親機５への回線番号の着呼をビットの情報として認識した後、前記発信者番号通知を受けた際に子機１との通話を遮断し、子機１は、子機１からの親機５の回線番号の発呼が親機５に着呼した際に親機５から電話機２に向けて発信される着信音（リング音）を感知して電話機２の電話回線３をオンフックさせる。
【００２６】
次に、本発明の実施形態に係る情報伝送装置の構成をより具体的に説明する。公衆回路網４は上述したように、国際間で広く標準化され汎用的に運用されているものであり、公衆回線網４の末端の大半が電話機２である。
本発明の実施形態に係る情報伝送装置は図１に示す様に、公衆回線網４の交換機４ａを介して発呼及び着呼が実行される組をなす子機１と親機５を有している。前記子機１は上述したように公衆回線網４に加入した電話機２に併設されており、前記電話機２には公衆回線網４における回線番号が付与されている。
したがって、前記子機１が電話機２をスルーして電話回線３をオフフック，オンフックすると、公衆回線網４の交換機４ａに前記電話機２の回線番号の情報が伝えられ、親機５が通信事業者の発信者番号通知のサービスに加入していると、前記交換機４ａに伝えられた電話機２の回線番号に基づいて、発呼元の電話機２の回線番号が前記交換機４ａを通して親機５に通知され、その通知後に親機５の指定した回線番号の着呼がなされる。
前記親機５は、通信事業者が提供するダイヤルインのサービスに加入することにより、回線番号としての２以上のダイヤルイン番号が付与されており、前記親機５は、前記２以上の回線番号＃１〜＃ｎに基づいて子機１からの発呼に対応するようになっている。
なお、親機５に２以上の回線番号＃１〜＃ｎを付与するにあたっては、上述したダイヤルインのサービスに加入して２以上の回線番号を親機５のために取得するものに限られるものではない。すなわち、親機５に対して２以上の電話回線３を敷設することにより、２以上の回線番号＃１〜＃ｎを親機５に付与するようにしてもよいものである。
さらに、親機５は、通信事業者が提供する発信者番号通知のサービスに加入して、子機１が親機２の２以上の回線番号＃１〜＃ｎを発呼した際、前記２以上の回線番号＃１〜＃２による呼毎に、子機１の回線番号が通知されるという発信者番号通知をそれぞれ受ける機能を付与している。従って、親機５は、子機１が親機５の２以上の回線番号＃１〜＃ｎのいずれかによる発呼した際、前記回線番号＃１〜＃２による呼毎に、前記発信者番号通知を受けることにより、発呼元の子機１を特定することができる。
さらに、前記子機１と前記親機５とは組をなす、すなわち、前記子機１は、前記親機５が有する２以上の回線番号＃１〜＃ｎの情報を知得していると共に、前記親機５は、前記子機１が有する回線番号の情報を知得している関係にあり、前記子機１と前記親機５とは、相手方を特定する情報をそれぞれ所有することにより、公衆回線網４上で情報の伝送を行うためのグループを形成している。
【００２７】
さらに、前記子機１は図２に示すように、子機１に入力する伝送情報Ｄ１を、親機２の１つの回線番号（発信番号）＃１〜＃ｎ−１または＃ｎをビット単位とする１以上のビットの情報として認識し、その認識したビットの情報に対応して親機５の回線番号＃１〜＃ｎ（ビット情報Ｄ２）を発呼する情報出力部１ａを有している。
前記情報出力部１ａは、親機５の２以上の回線番号（発信番号）＃１〜＃ｎにそれぞれ割当てたｎ個のビット番号（ビット１〜ビットｎ）と、前記ビット番号（ビット１〜ビットｎ）にそれぞれに割当てた、前記伝送情報Ｄ１を形成する情報要素Ｄ３とを対応させて記憶する記憶部１ｂを有し、前記情報出力部１ａは、子機１へ入力した伝送情報Ｄ１の情報要素Ｄ３を前記記憶部１ｂの情報要素Ｄ２と照合して、前記情報要素Ｄ３をビットの情報として認識するものである。
さらに、前記情報出力部１ａは図１及び図２に示すように、公衆回線網４の端末である電話機２をスルーして、電話機２の電話回線３をオフフック，オンフックすることを繰り返して、前記認識したビットの情報に対応して親機５の２以上の回線番号＃１〜＃ｎを発呼することにより、前記子機１への入力情報Ｄ１を前記回線番号＃１〜＃ｎの組合せによる回線番号列（ビット列）の情報Ｄ２として公衆回線網４により親機５に出力するようになっている。前記情報出力部１ａは、親機５の回線番号＃１〜＃ｎを発呼する際、その先頭に電話機２に付与された回線番号（発信者番号）の情報を付加して親機５の回線番号＃１〜＃ｎを発呼する。前記情報出力部１ａが電話機２の発信者番号の情報を付加して親機５の回線番号を発呼する動作は、電話機２が親機の回線番号を発呼する動作と同じである。
【００２８】
前記記憶部１ｂに記憶されている記憶情報の一例は図３に示す。図３に示す前記記憶情報は、欄Ｆ１に記述された、子機１に付与された回線番号（発信者番号）と、欄Ｆ２に記述された親機５の２以上の回線番号（発信番号）＃１〜＃ｎと、欄Ｆ３に記述された、親機５の１つの回線番号＃１〜，＃ｎ−１又は＃ｎを１ビット単位として、２以上の回線番号（発信番号）にそれぞれに割当てたビット（情報符号）を表すビット番号＃１〜＃ｎと、欄Ｆ４に記述された、前記ビット番号＃１〜＃ｎにそれぞれ割当てた、伝送情報Ｄ１を形成する情報要素Ｄ３とを対応させたテーブル形式になっている。
前記記憶部１ｂの記憶情報のうち、子機１の回線番号（発信者番号）は、親機５の２以上の回線番号（発信番号）＃１〜＃ｎの先頭に同一番号としてそれぞれ付加されている。
図３に示す例は一例であって、図３の例では、親機５が有する回線番号＃１（図示では、03-×××-××01）にビット番号＃１を割当て、そのビット番号＃１に、「発信者の老人が居間にいる」を表す情報要素Ｄ３を割当てている。親機５が有する回線番号＃２（図示では、03-×××-××02）にビット番号＃２を割当て、そのビット番号＃２に、「居間で座っている」を表す情報要素Ｄ３を割当てている。親機５が有する回線番号＃３（図示では、03-×××-××03）にビット番号＃３を割当て、そのビット番号＃３に、「お茶を飲んでいる」を表す情報要素Ｄ３を割当てている。
なお、１つの回線番号を１ビット単位として２以上の回線番号＃１〜＃ｎに１ビットをそれぞれ割当てた場合、伝送情報Ｄ１を形成する情報要素Ｄ３の個数は、図３に示す例に限られるものではない。
【００２９】
伝送対象の情報Ｄ１を形成する情報要素Ｄ２を子機１へ入力させる手法には種々の方法がある。例えば、図３に示す例は、「発信者の老人が居間に居て、座布団に座ってお茶を飲んでいる」という情報を２以上のセンサ６で取得し、そのセンサ６からの情報を子機１から親機５へ伝送する場合を示すものである。図３の例では、子機１から親機５へ伝送する情報「発信者の老人が居間に居て、座布団に座ってお茶を飲んでいる」を３つの情報要素、すなわち、「発信者の老人が居間に居る」という情報要素Ｄ３（＃１）と、「座っている」という情報要素Ｄ３（＃２）と、「お茶を飲んでいる」という条要素Ｄ３（＃３）とに振分け、それぞれの情報要素Ｄ３（＃１，＃２，＃３）をそれぞれ専用のセンサ６で取得している。
具体的に説明すると、居間のドアが開閉されるのを検出するドアセンサ６を、発信者の老人が出入りする居間のドアに設置しておく。さらに、居間に置いてある座布団に老人が座ると反応するセンサ６を設置しておく。更に、居間に置いてあるポットの注ぎ口にセンサ６を設置しておく。
さらに、子機１の記憶部１ｂには図３に示すように、欄Ｆ３に「発信者の老人が居間にいる」という情報要素Ｄ３（＃１），「座布団に座っている」という情報要素Ｄ３（＃２），「お茶を飲んでいる」という情報要素Ｄ３（＃３）を、センサ６の「ＯＮ」或いは「ＯＦＦ」に対応させて記憶させておく。
以上の設定を予め行った後に、子機１の情報出力部１ａは、２以上のセンサ６から信号が入力するのを監視する。子機１の情報出力部１ａは、ドアセンサ６から「ＯＮ」或いは「ＯＦＦ」の信号が入力すると、記憶部１ｂの記憶情報に基づいて、「発信者の老人が居間に居る」という情報要素Ｄ３（＃１）が入力したことを認識する。
同様に子機１の情報出力部１ａは、座布団に組み込んだセンサ６から「ＯＮ」或いは「ＯＦＦ」の信号が入力すると、記憶部１ｂの記憶情報に基づいて、「座布団に座っている」という情報要素Ｄ３（＃２）が入力したことを認識する。
同様に、子機１の情報出力部１ａは、ポットのセンサ６から「ＯＮ」或いは「ＯＦＦ」の信号が入力すると、記憶部１ｂの記憶情報に基づいて、「お茶を飲んでいる」という情報要素Ｄ３（＃３）が入力したことを認識する。
図３の例以外にも、例えば、監視者が事象の発生を検知した際にパソコンのキーボードを使うことにより、発生した事象の内容を子機１の情報出力部１ａに入力するようにする構成も考えられる。
このように、前記情報出力部１ａに情報Ｄ１を入力する構成は種々考えられるものであり、適宜汎用の情報入力機構を使用すればよいものである。
【００３０】
図３に示す例に基づいて前記情報出力部１ａの動作を説明する。図３に示す例では、子機１に入力する伝送情報Ｄ１は、「発信者の老人が居間にいる」という情報要素（＃１）Ｄ３と、「座っている」という情報要素（＃２）Ｄ３と、「お茶を飲んでいる」という情報要素（＃３）Ｄ３とを組合せた情報である。
前記情報出力部１ａは、子機１に入力した情報Ｄ１を形成する情報要素＃１,＃２，＃３を前記記憶部１ｂの情報要素（欄Ｆ４に記載された情報要素）Ｄ３と照合し、前記子機１から前記親機２への回線番号＃１，＃２，＃３の発呼をビットの情報（情報符号）として認識する。
図３の例では、親機５の回線番号＃１に「発信者の老人が居間にいる」の情報要素＃１が割当てられ、親機５の回線番号＃２に「座っている」の情報要素＃２が割当てられ、親機５の回線番号＃３に「お茶を飲んでいる」の情報要素＃３が割当てられているから、前記情報出力部１ａは、親機５の回線番号＃１に対応するビットの情報「１」、親機５の回線番号＃２に対応するビットの情報「１」、親機５の回線番号＃３に対応するビットの情報「１」であり、親機５の回線番号＃４〜＃ｎに対応するビットの情報「０」であると認識する。
さらに、前記情報出力部１ａは、電話機２をスルーして電話回線３をオフフック，オンフックすることを繰り返して、前記認識したビットの情報「１，１，１，０・・・」に基づいて、親機５の回線番号＃１〜＃ｎを発呼する。
図３に示す例では、前記情報出力部１ａは、前記認識したビットの情報「１，１，１，０・・・」に基づいて、親機５の回線番号＃１，＃２，＃３を連続して発呼する。この場合、回線番号＃４〜＃ｎに対応するビットの情報は「０，０，０・・・」であるため、前記情報出力部１ａは、親機５の回線番号＃１〜＃ｎの発呼を行わない。
したがって、前記情報出力部１ａが親機５の回線番号＃１，＃２，＃３を発呼すると、情報要素＃１，＃２，＃３が親機５の回線番号＃１，＃２，＃３の組合せからなる回線番号列であるビットの情報「１，１，１」として公衆回線網４に出力される。
【００３１】
さらに、前記親機５は図４に示すように、前記発信者番号通知を受信すると共に、前記子機１から前記親機５への回線番号＃１〜＃ｎ−１又は＃ｎの発呼を受信する受信部５ａと、前記発信者番号通知に基づいて子機１を特定すると共に、前記特定した子機１から親機５への回線番号＃１〜＃ｎ−１又は＃ｎの着呼をビットの情報として出力する情報再生部５ｂとを有している。
【００３２】
図５は、子機１の情報出力部１ａが図３に示す例の情報要素（＃１〜＃ｎ）Ｄ３を親機５の回線番号＃１〜＃ｎの発呼により親機５へ伝送した場合に、親機５の情報再生部５ｂがビットの情報として出力する場合を示す例である。
子機１の情報出力部１ａが子機１の発信者番号（回線番号）を付加して、ビットの情報が「１」である親機５の回線番号＃１（図５では「03-×××-××01（＃１）を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃１（回線番号；図５では「03-×××-××01（＃１）」）の着呼を受信する。
子機１の情報出力部１ａが、親機５の回線番号＃１（図５では「03-×××-××01（＃１）に続けて、子機１の発信者番号（回線番号）を付加して、ビットの情報が「１」である親機５の回線番号＃２を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃２（図５では「03-×××-××02（＃２）」）の着呼を受信する。
子機１の情報出力部１ａが、親機５の回線番号＃２（図５では「03-×××-××02（＃２）に続けて、子機１の発信者番号（回線番号）を付加して、ビットの情報が「１」である親機５の回線番号＃３を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃３（図５では「03-×××-××03（＃３）」）の着呼を受信する。
親機５の情報再生部５ｂは、前記受信部５ａが受信した発信者番号（図３では「03-1234-5678」）に基づいて、発呼元の子機１を特定すると共に、前記特定した子機１から親機５への回線番号の着呼をビットの情報として出力する。
図５の例を用いて具体的に説明すると、親機５の情報再生部５は図５に示すように、親機５の回線番号＃１の着呼が受信されているので、回線番号＃１（図５では、03-×××-××01（＃１））の着呼をビットの情報「１」として認識する。
同様に、親機５の情報再生部５は図５に示すように、親機５の回線番号＃２の着呼が受信されているので、回線番号＃２（図５では、03-×××-××02（＃２））の着呼をビットの情報「１」として認識する。
同様に、親機５の情報再生部５は図５に示すように、親機５の回線番号＃３の着呼が受信されているので、回線番号＃３（図５では、03-×××-××03（＃３））の着呼をビットの情報「１」として認識する。
親機５の情報再生部５は図５に示すように、回線番号＃１，＃２，＃３以外の回線番号の着呼を受信していないので、これらの回線番号に対するビットの情報を「０」として認識する。
親機５の情報再生部５ｂは、以上の認識結果に基づいて、子機１から親機５への回線番号の発呼をビット情報として見立て、親機５への回線番号の着呼をビットの情報「１，１，１，０・・・」として出力する。
【００３３】
さらに、前記親機５は、通信事業者が提供する発信者番号通知による子機１の回線番号（発信者番号）を子機１が発呼する親機５の回線番号（発信番号）＃１〜＃ｎ−１又は＃ｎの先頭に付加した回線番号列に含まれる２以上の回線番号＃１〜＃ｎに基づく呼を親機５の受信部５ａに通知する回線制御部５ｃを備えている。
さらに、前記回線制御部５ｃは、前記情報再生部５ｂが子機１から親機５への回線番号＃１〜＃ｎの着呼をビットの情報として出力した際に子機１との通話を遮断（解放）する機能と、前記受信部５ａが子機１から親機５への発呼を受信した際に着信音（リング音）を発呼側子機１の電話回線３に出力する機能とを有している。
したがって、子機１の情報出力部１ａは、前記回線制御部５ｃから出力される着信音（リング音）を感知して電話機２の電話回線３をオンフックする。
これにより、子機１からの発呼による子機１と親機５との通話は、親機５が子機１から情報を受け取った直後に遮断されることとなる。
【００３４】
さらに、前記親機５は図１及び図４に示すように、インターネット網７に加入したサーバとしての機能を有している。前記サーバとしての前記親機５は、前記情報再生部５ｂが出力したビットの情報をテキストデータに編集する編集部５ｄと、前記編集部５ｄが編集したテキストデータをインターネット網７に出力する発信部５ｅとを有している。
前記編集部５は図６に示すように、情報再生部５ｂが特定した子機１の回線番号（発信者番号：図３の例では、03-1234-5678）を子機１から受信した情報（図３の例では、ビット情報「１，１，１，０・・・」）の識別子ＩＤとして先頭に付加し、そのＩＤに続けて子機１から受信した情報（ビット情報）を組込むことによりテキストデータを編集する。前記編集部５が編集したテキストデータは、例えば、「回線番号03-1234-5678の電話機２の所有者である発信者の老人が居間に座っていて、お茶を飲んでいる」という最終情報を意味している。
前記発信部５ｅは図７に示すように、前記編集部５ｄが編集したテキストデータを送信データとし、この送信データの先頭に、インターネット網７上のサービスパーソナルコンピュータＰＣ１，ＰＣ２・・・ＰＣｎを識別するためのネットアドレス（例えば、Nn-nn-nn-nn）を付加することにより、インターネット網７に出力する。
【００３５】
図１に示すように、インターネット網７には、各種のサービスを請け負うサービスパーソナルコンピュータＰＣ１，ＰＣ２・・・ＰＣｎが存在している。サービスパーソナルコンピュータＰＣ１，ＰＣ２・・・ＰＣｎを運用する通信事業者は、最終情報を利用するユーザ（図１ではユーザＡ，Ｂ）と契約を結んでおり、公衆回線網４における電話機２の電話回線３を利用して取得した事象の情報を、公衆回線網４の親機５からインターネット網７を介して前記ユーザＡ，Ｂに提供するサービスを実施している。
【００３６】
さらに、子機１と親機２との組合せにより事象の情報をビットの情報として出力する通信事業者＃１は、サービスパーソナルコンピュータＰＣ１，ＰＣ２・・・ＰＣｎを運用する通信事業者＃２が提供するサービスの内容に関する情報を受け取ることにより、これらの情報を子機１の記憶部１ｂに情報要素Ｄ３として記憶させることにより、事象の情報をビットの情報として、サービスパーソナルコンピュータＰＣ１，ＰＣ２・・・ＰＣｎを運用する通信事業者＃２に提供する。
サービスパーソナルコンピュータＰＣ１，ＰＣ２・・・ＰＣｎを運用する通信事業者＃２は、前記通信事業者＃１が提供するビット情報を最終情報に翻訳してユーザＡ，Ｂに提供する。
【００３７】
通信事業者＃２が所有するサービスパーソナルコンピュータＰＣ１が、通信事業者＃１が提供するビット情報を最終情報に翻訳してユーザＡ，Ｂに提供する過程を図８に基づいて説明する。
サービスパーソナルコンピュータＰＣ１は、その記憶部に図８に示す記憶情報を記憶している。図８に示す記憶情報は、発信者の老人の日常生活における行動を最終情報を利用するユーザＡに提供する場合の例である。前記記憶部に記憶させる記憶情報は図８に示す例に限られるものではない。
図８に示す記憶部の記憶情報は、欄Ｆ２１に記述された最終情報を提供する連絡先と、欄２２に記述された介護する老人に関する顧客データ（例えば、住所，氏名など）と、欄２３に記述された介護対象の老人に発生する事象（最終情報）と、欄２４に記載された最終情報を示すテキストデータ（図４の発信部５ｅが出力するテキストデータ）と、欄２５に記述されたテキストデータに付加されているＩＤ（電話番号：介護老人の所有する電話機に付与された回線番号）とを対応させたテーブル形式になっている。
【００３８】
図８に示す例では、親機５の発信部５ｅから、電話番号03-1234-5678をＩＤ番号としてビット情報「00000111」を編集したテキストデータがインターネット網７を介して通信事業者＃２のサービスパーソナルコンピュータＰＣ１に入力すると、サービスパーソナルコンピュータＰＣ１は図１及び図４に示すように、契約者の連絡先の携帯電話番号「090-123-4567」に介護老人が「居間に座ってお茶を飲んでいる」という情報をユーザＡに連絡する。
この連絡を受けてユーザＡは、リアルタイムで介護老人の生活行動を知ることとなる。
【００３９】
また、子機１は図２に示すように、緊急時の際に電話機２をスルーして親機５の２以上の回線番号＃１〜＃ｎのうち１つの回線番号を強制的に発呼させて緊急時の連絡通知を行う緊急出動部１ｄと、例えば外出時のように監視する必要がない場合に前記情報出力部１ａの動作を制御する動作制御部１ｃとを有している。前記動作制御部１ｃは、例えば１回操作されると、外出時のように監視する必要がない場合に前記情報出力部１ａの動作を強制的に停止させ、例えば２回操作されると、前記情報出力部１ａを再起動させることにより、前記情報制御部１ａの動作を制御するようになっている。
【００４０】
以上では、子機１に含まれる情報出力部１ａ（図２参照）、親機５に含まれる情報再生部５ｂ，回線制御部５ｃ，編集部５ｄ及び発信部５ｅをハードウェアの構成として構築する場合を前提として説明した。ＣＰＵにプログラムを実行させることにより、子機１の情報出力部１ａが実行する機能、親機５の情報再生部５ｂ，回線制御部５ｃ，編集部５ｄ及び発信部５ｅが実行する機能をソフトウェア上で実現するようにしてもよいものである。
【００４１】
次に、本発明の実施形態に係る情報伝送装置を用いて、遠隔地に居住する老人の身の回りで発生する事象に関する情報を伝送する場合を図９及び図１０に基づいて説明する。
【００４２】
老人の身の回りに発生する事象を検出するために、子機１、特に情報出力部１ａのインターフェースであるセンサ６としては、熱に反応する熱センサ、ドアの開閉を検知するドアセンサ、煙に反応する煙センサなどが用いられ、老人の様子をリアルタイムで監視することができる。
【００４３】
以下の説明では、発信者の老人に関する情報を図３に示す例に基づいて説明する。子機１と親機５との組合せによりビット情報を提供する通信事業者＃１は、最終的なサービスを実施する通信事業者＃２から図３に示すような発信者の老人に関する情報要素Ｄ３と、老人が所有している電話機２に付与された電話番号（03-1234-5678）との情報を得て、子機１の記憶部１ｂに図３に示すテーブル形式で記憶させておく。
【００４４】
親機５の所有する回線番号が＃１〜＃ｎのｎ個である場合を想定する。図３に示す情報を模式化すると、子機１の記憶部１ｂには図９に示すように、親機５の１つの回線番号を１ビット単位としたビットを示すビット番号＃１〜＃ｎを、親機５の所有する２以上の回線番号（発信回線番号）＃１〜＃ｎのそれぞれに割り振って記憶させている。
さらに、子機１の記憶部１ｂには図９に示すように、親機５の２以上の回線番号（発信番号）＃１〜＃ｎの先頭に子機１の回線番号（03-1234-5678）を付加している。
図３の例では図９に示すように、親機５が有する回線番号＃１（図示では、03-×××-××01）にビット番号＃１を割当て、そのビット番号＃１に、「発信者の老人が居間にいる」を表す情報要素Ｄ３を割当てている。親機５が有する回線番号＃２（図示では、03-×××-××02）にビット番号＃２を割当て、そのビット番号＃２に、「居間で座っている」を表す情報要素Ｄ３を割当てている。親機５が有する回線番号＃３（図示では、03-×××-××03）にビット番号＃３を割当て、そのビット番号＃３に、「お茶を飲んでいる」を表す情報要素Ｄ３を割当てている。
【００４５】
図３及び図９に示すような対応関係に基づいて子機１の記憶部１ｂに、発信者の老人に日常生活における行動を知らせる情報を記憶させた後に、子機１のインターフェースであるセンサ６によって発信者の老人の行動を監視している。
【００４６】
子機１の情報出力部１ａは、各種のセンサ６が検出している情報を捕捉し（図１０（ａ）のステップＳ１）、緊急出動部１ｄからの情報が入力しているか否かを判断し（図１０（ａ）のステップＳ２）、緊急出動部１ｄからの情報が入力されていないと判断したとき（図１０（ａ）のステップＳ３，Ｎ）、定められた送信時間を待って送信手順に入る（図１０（ａ）のステップＳ４）。
定時送信の場合、各種のセンサ６から、「発信者の老人が居間にいる」という情報要素＃１と、「座っている」という情報要素＃２と、「お茶を飲んでいる」という情報要素＃３とが伝送情報Ｄ１として子機１の情報出力部１ａに入力し、情報出力部１ａが前記情報要素＃１，＃２，＃３を捕捉しているものとする。
【００４７】
子機１の情報出力部１ａは、子機１に入力した情報Ｄ１を形成する情報要素＃１,＃２，＃３を子機１の記憶部１ｂの情報要素Ｄ３と照合し、前記子機１から前記親機２への回線番号＃１，＃２，＃３の発呼をビットの情報（情報符号）として認識する。
すなわち、子機１の情報出力部１ａは、子機１に入力した情報Ｄ１を、親機５の回線番号＃１に対応するビットの情報「１」、親機５の回線番号＃２に対応するビットの情報「１」、親機５の回線番号＃３に対応するビットの情報「１」であり、親機５の回線番号＃４〜＃ｎに対応するビットの情報「０」であると認識する。
さらに、子機１の情報出力部１ａは、電話機２をスルーして電話回線３をオフフック，オンフックすることを繰り返して、前記認識したビットの情報「１，１，１，０・・・」に基づいて、親機５の回線番号＃１〜＃ｎを発呼する（図１０（ａ）のステップＳ５）。
図３及び図９に示す例では、子機１の情報出力部１ａは、前記認識したビットの情報「１，１，１，０・・・」に基づいて、親機５の回線番号＃１，＃２，＃３を連続して発呼する。この場合、回線番号＃４〜＃ｎに対応するビットの情報は「０，０，０・・・」であるため、前記情報出力部１ａは、親機５の回線番号＃１〜＃ｎの発呼を行わない。
【００４８】
子機１の情報出力部１ａが子機１の発信者番号（回線番号）を付加して、ビットの情報が「１」である親機５の回線番号＃１（図５では「03-×××-××01（＃１）を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃１（回線番号；図５では「03-×××-××01（＃１）」）の着呼を受信する。
子機１の情報出力部１ａが、親機５の回線番号＃１（図５では「03-×××-××01（＃１）に続けて、子機１の発信者番号（回線番号）を付加して、ビットの情報が「１」である親機５の回線番号＃２を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃２（図５では「03-×××-××02（＃２）」）の着呼を受信する。
子機１の情報出力部１ａが、親機５の回線番号＃２（図５では「03-×××-××02（＃２）に続けて、子機１の発信者番号（回線番号）を付加して、ビットの情報が「１」である親機５の回線番号＃３を発呼すると、親機５の受信部５ａは、通信事業者が提供する発信者番号通知を受けて、子機１の発信者番号（回線番号；図３では「03-1234-5678」）を受信し、その発信者番号が付加された親機５の回線番号＃３（図５では「03-×××-××03（＃３）」）の着呼を受信する。
親機５の情報再生部５ｂは、前記受信部５ａが受信した発信者番号（図３では「03-1234-5678」）に基づいて、発呼元の子機１を特定する（図１０（ｂ）のステップ１０）と共に、前記特定した子機１から親機５への回線番号の着呼をビットの情報として出力する（図１０（ｂ）のステップ１１）。
具体的に説明すると、親機５の情報再生部５ｂは図９に示すように、親機５の回線番号＃１の着呼が受信されているので、回線番号＃１（図９では、03-×××-××01（＃１））の着呼をビットの情報「１」として認識する。
同様に、親機５の情報再生部５ｂは図９に示すように、親機５の回線番号＃２の着呼が受信されているので、回線番号＃２（図９では、03-×××-××02（＃２））の着呼をビットの情報「１」として認識する。
同様に、親機５の情報再生部５ｂは図９に示すように、親機５の回線番号＃３の着呼が受信されているので、回線番号＃３（図９では、03-×××-××03（＃３））の着呼をビットの情報「１」として認識する。
親機５の情報再生部５ｂは図９に示すように、回線番号＃１，＃２，＃３以外の回線番号の着呼を受信していないので、これらの回線番号に対するビットの情報を「０」として認識する。
親機５の情報再生部５ｂは、以上の認識結果に基づいて、子機１から親機５への回線番号の発呼をビット情報として見立て、親機５への回線番号の着呼をビットの情報「１，１，１，０・・・」として出力する（（図１０（ｂ）のステップ１１））。
【００４９】
親機５の回線制御部５ｃは、情報再生部５ｂが子機１から親機５への回線番号＃１〜＃ｎの着呼をビットの情報として出力した際に子機１との通話を遮断し（図１０（ｂ）のステップＳ１２）、前記受信部５ａが子機１から親機５への発呼を受信した際に着信音（リング音）を発呼側子機１の電話回線３に出力する（図１０（ｂ）のＯＵＴ）。
【００５０】
子機１の情報出力部１ａは、前記回線制御部５ｃから出力される着信音（リング音）を感知して電話機２の電話回線３をオンフックする（図１０（ａ）のステップＳ６，Ｓ７：ＩＮ）。
これにより、子機１からの発呼による子機１と親機５との通話は課金される前に遮断されることとなる。
【００５１】
親機５の編集部５ｄは図６に示すように、情報再生部５ｂが特定した子機１の回線番号（発信者番号：図３の例では、03-1234-5678）を子機１から受信した情報（図３の例では、ビット情報「１，１，１，０・・・」）の識別子ＩＤとして先頭に付加し、そのＩＤに続けて子機１から受信した情報（ビット情報）を組込むことによりテキストデータを編集する。前記編集部５ｄが編集したテキストデータは、例えば、「回線番号03-1234-5678の電話機２の所有者である発信者の老人が居間に座っていて、お茶を飲んでいる」という最終情報を意味している。
親機５の発信部５ｅは図７に示すように、前記編集部５ｄが編集したテキストデータを送信データとし、この送信データの先頭に、インターネット網７上のサービスパーソナルコンピュータＰＣ１，ＰＣ２・・・ＰＣｎを識別するためのネットアドレス（例えば、Nn-nn-nn-nn）を付加することにより、インターネット網７に出力する。
【００５２】
親機５の発信部５ｅから、電話番号03-1234-5678をＩＤ番号としてビット情報「00000111」を編集したテキストデータがインターネット網７を介して通信事業者＃２のサービスパーソナルコンピュータＰＣ１に入力すると、サービスパーソナルコンピュータＰＣ１は図１及び図４に示すように、契約者の連絡先の携帯電話番号「090-123-4567」に介護老人が「居間に座ってお茶を飲んでいる」という情報をユーザＡに連絡する。
この連絡を受けてユーザＡは、リアルタイムで介護老人の生活行動を知ることとなる。
【００５３】
次に、本発明の実施形態による効果を説明する。
情報の発生源からのリアルタイム情報を得るためには、これまでは専用回線を設けるか或いは都度モデム（ＴＡ）接続し情報転送を行い、そのあと回線遮断というシーケンスを踏まないとできなかった。これら一連の処理をする端末は機能が複雑な分高価になり、かつ都度回線利用料金が発生しリアルタイム情報通信には金銭的な負担の大きな装置となっていた。この情報伝達の手段を、電話技術のみで構成された子機（端末）と国際的に標準化され広く利用されている発信者番号通知のみで必要にして十分な情報を転送する仕組みとして考案されたのが本発明である。子機（端末）は電話機能にＣＰＵを組み込んだ端末であり、情報伝達は回線発呼のみであるので、通信経費は軽微であり、情報伝達量（通信量）から見れば極めてコストパフオーマンスの優れた装置となっている。
【００５４】
この情報伝達には子機（端末）と機能を分散して働く親機（サーバ）が必要である。親機（サーバ）は一装置で多回線の処理能力のあるコンピュータ・テレフオニー技術を採用したサーバが利用できる。更に、親機はインターネット網上のサーバとして機能するが、親機は、公衆回線網に加入した電話機に併設した２以上の子機から情報を取得してインターネット網に出力するので、公衆回線網上でのサーバすなわちプロバイダとして機能するものである。
【００５５】
本装置にはインターネット網を通じて多数のアプリケーションＰＣを接続することができる。アブリケーションＰＣとは情報発生源で起きた事象（例えばセンサ反応）を、親機（サーバ）を経由してリアルタイムに捕捉し速やかに情報を必要としている人や場所へ伝達するコンピュータ装置を指している。すなわち情報発生源（端末）とアプリケーションＰＣは一対の装置で、情報の収集ルートとして親機（サーバ）を利用するに過ぎない。情報の収集や解析など煩雑で設備や運用、保守に経費のかかる機能は親機（サーバ）に委託し、サービスＰＣは運用やサービスに特化した一つの業務装置を構築できる。
例えば不審侵入者をいち早くセンサで捕捉し情報を必要とする人や場所に伝達する。あるいは独居老人のライブ信号を２４時間捕捉しており万一ライブ信号が途切れたら、情報を必要としている老人をケアする立場にいる身内や、しかるべき組織に情報を伝達するサービスなどが考えられる。これらはほんの一例で情報発生源と利用者をリアルタイムに結ぶアプリケーションは無限に考えられる。情報の発生源と情報の利用者は国内とに限らない。標準化された公衆回線網及びインターネット網を使う装置であるので、海外でも広く利用することができる。
本発明の装置は情報発生源と情報利用者を結ぶアプリケーション・サービスを考え、そして提供する組織や企業に対し情報収集のメカニズム（インフラ）を効率よく安価に提供するためのものである。
【産業上の利用可能性】
【００５６】
以上説明したように本発明によれば、リアルタイムに頻発する情報を、国際間で広く標準化され汎用的に運用されている公衆回線の接続手法のみを用いることにより、簡便に情報通信を行うことができ、公衆回線網ばかりでなく、広域ネットにも応用可能な装置を構築することができるものである。
【符号の説明】
【００５７】
１  子機
１ａ  子機の情報出力部
１ｂ  子機の記憶部
２  電話機
３  電話機の電話回線
４  公衆回線網
５  親機
５ａ  親機の受信部
５ｂ  情報再生部
５ｃ  親機の回線制御部
【図１】
0005706184.tif 000002
【図２】
0005706184.tif 000003
【図３】
0005706184.tif 000004
【図４】
0005706184.tif 000005
【図５】
0005706184.tif 000006
【図６】
0005706184.tif 000007
【図７】
0005706184.tif 000008
【図８】
0005706184.tif 000009
【図９】
0005706184.tif 000010
【図１０】
0005706184.tif 000011